(57)【要約】      （修正有）【課題】自動運転モードの切り替え時において運転者の体勢に応じて警報の内容を切り替える走行制御システムを提供する。【解決手段】走行制御システム１は、車両の操舵および加減速の制御を含む自動走行制御を行う走行制御システムであって、運転者の操作に従って前記車両の操舵および加減速を実施する手動運転モード、前記運転者によるステアリングホイールの保持を前提として前記自動走行制御を実施する第１運転支援モード、および前記運転者による前記ステアリングホイールの保持を必要とせずに前記自動走行制御を実施する第２運転支援モード、を選択的に実行して前記車両の走行制御を行う走行制御装置１００と、前記運転者による操作を検出する操作検出装置５０と、前記車両が備える報知装置２０２を制御して視覚情報および聴覚情報を出力する警報制御装置６０と、を備える。【選択図】図１
2019156058.tif 000002
【特許請求の範囲】
【請求項１】
車両に搭載され、前記車両の操舵および加減速の制御を含む自動走行制御を行う走行制御システムであって、
前記車両の運転者の操作に従って前記車両の操舵および加減速を実施する手動運転モード、前記運転者によるステアリングホイールの保持を前提として前記自動走行制御を実施する第１運転支援モード、および前記運転者による前記ステアリングホイールの保持を必要とせずに前記自動走行制御を実施する第２運転支援モード、を選択的に実行して前記車両の走行制御を行う走行制御装置と、
前記運転者による操作を検出する操作検出装置と、
前記車両が備える報知装置を制御して視覚情報および聴覚情報を出力する警報制御装置と、
を備え、
前記走行制御装置は、
前記第２運転支援モードの実行時において、当該第２運転支援モードが継続できないと判定した場合に、前記手動運転モードまたは前記第１運転支援モードを開始する走行制御切り替えステップと、
前記走行制御切り替えステップの実行時または前記走行制御切り替えステップの実行の所定時間前において、前記操作検出装置の検出結果に基づき、前記運転者が前記手動運転モードまたは前記第１運転支援モードの開始に対応できる体勢を整えているか否かを判定する第１ステップと、
前記第１ステップの後に、前記第１ステップにおいて、前記運転者が前記手動運転モードまたは前記第１運転支援モードの開始に対応できる体勢を整えていないと判定した場合には、前記警報制御装置を制御して前記走行制御切り替えステップの実行を前記視覚情報および前記聴覚情報を用いて出力し、前記運転者が前記手動運転モードまたは前記第１運転支援モードの開始に対応できる体勢を整えていると判定した場合には、前記警報制御装置を制御して前記走行制御切り替えステップの実行を前記視覚情報のみを用いて出力する第２ステップと、
を実行することを特徴とする走行制御システム。
【請求項２】
前記操作検出装置は、前記運転者による前記ステアリングホイールの保持の有無を検出するステアリングセンサを含み、
前記走行制御装置は、前記第１ステップにおいて、前記ステアリングセンサによって前記運転者による前記ステアリングホイールの保持を検出している場合に、前記運転者が前記手動運転モードまたは前記第１運転支援モードの開始に対応できる体勢を整えていると判定する
ことを特徴とする請求項１に記載の走行制御システム。
【発明の詳細な説明】
【技術分野】
【０００１】
本発明は、車両の自動走行制御を実施する走行制御システムに関する。
【背景技術】
【０００２】
自動車等の車両においては、運転者によるステアリングホイールの保持を前提とせずに車両の自動運転を行う走行制御システムが知られている。また、例えば特開２０１７−３０５１８号公報に開示されているように、自動運転から手動運転への切り替え時に運転者に当該切り替えの警報を発する走行制御システムも知られている。
【先行技術文献】
【特許文献】
【０００３】
【特許文献１】特開２０１７−３０５１８号公報
【発明の概要】
【発明が解決しようとする課題】
【０００４】
自動運転による走行中において、運転者は、地図情報や過去の経験に基づいて手動運転への切り替えが発生する地点を予測することができる。したがって、運転者は、自車両が自動運転から手動運転への切り替えが発生する地点に到達する前に、予めステアリングホイールを保持する予備動作を行う可能性がある。しかし、運転者が予めステアリングホイールを保持して自動運転から手動運転への切り替えに身構えていても、従来の走行制御システムではステアリングホイールの保持を要求する警報が発せられるため、運転者は当該警報を煩わしく感じる場合がある。
【０００５】
本発明は前述した問題を解決するものであり、自動運転モードの切り替え時において運転者の体勢に応じて警報の内容を切り替える走行制御システムを提供することを目的とする。
【０００６】
ことを目的とする。
【課題を解決するための手段】
【０００７】
本発明の一態様の走行制御システムは、車両に搭載され、前記車両の操舵および加減速の制御を含む自動走行制御を行う走行制御システムであって、前記車両の運転者の操作に従って前記車両の操舵および加減速を実施する手動運転モード、前記運転者によるステアリングホイールの保持を前提として前記自動走行制御を実施する第１運転支援モード、および前記運転者による前記ステアリングホイールの保持を必要とせずに前記自動走行制御を実施する第２運転支援モード、を選択的に実行して前記車両の走行制御を行う走行制御装置と、前記運転者による操作を検出する操作検出装置と、前記車両が備える報知装置を制御して視覚情報および聴覚情報を出力する警報制御装置と、を備え、前記走行制御装置は、前記第２運転支援モードの実行時において、当該第２運転支援モードが継続できないと判定した場合に、前記手動運転モードまたは前記第１運転支援モードを開始する走行制御切り替えステップと、前記走行制御切り替えステップの実行時または前記走行制御切り替えステップの実行の所定時間前において、前記操作検出装置の検出結果に基づき、前記運転者が前記手動運転モードまたは前記第１運転支援モードの開始に対応できる体勢を整えているか否かを判定する第１ステップと、前記第１ステップの後に、前記第１ステップにおいて、前記運転者が前記手動運転モードまたは前記第１運転支援モードの開始に対応できる体勢を整えていないと判定した場合には、前記警報制御装置を制御して前記走行制御切り替えステップの実行を前記視覚情報および前記聴覚情報を用いて出力し、前記運転者が前記手動運転モードまたは前記第１運転支援モードの開始に対応できる体勢を整えていると判定した場合には、前記警報制御装置を制御して前記走行制御切り替えステップの実行を前記視覚情報のみを用いて出力する第２ステップと、を実行する。
【発明の効果】
【０００８】
本発明によれば、自動運転モードの切り替え時において運転者の体勢に応じて警報の内容を切り替える走行制御システムを提供することができる。
【図面の簡単な説明】
【０００９】
【図１】走行制御システムの構成図である。
【図２】自動運転終了処理を示すフローチャートである。
【発明を実施するための形態】
【００１０】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。
【００１１】
図１において、符号１は、自動車等の車両の走行制御システムであり、車両の自律的な自動運転を含む走行制御を実施する。以下では、走行制御システム１が搭載される車両のことを自車両と称する。
【００１２】
自車両は、運転者が運転操作を行うための操作部２０１を備える。操作部２０１は、アクセルペダル２０１ａ、ブレーキペダル２０１ｂおよびステアリングホイール２０１ｓを含む。操作部２０１には、自車両の手動運転と自動運転を切り替える操作を行うスイッチが含まれていてもよい。
【００１３】
走行制御システム１は、走行制御装置１００を中心として、状態量検出装置１０、外部環境認識装置２０、加減速制御装置３０、操舵制御装置４０、操作検出装置５０、および警報制御装置６０等が情報通信ネットワーク１５０を介して互いに接続されて構成されている。
【００１４】
状態量検出装置１０は、車速センサ、加速度センサ、角速度センサおよび舵角センサ等を備え、自車両の車速、前後方向の加速度、ヨーレート、舵角等の状態量を検出する。なお、状態量検出装置１０に含まれる複数のセンサの少なくとも一部は、自車両が備える他の装置に付属するセンサを共用する形態であってもよい。例えば、状態量検出装置１０に含まれる自車両のヨーレートを検出する角速度センサは、自車両が備える横滑り防止装置が備える角速度センサと共用であってもよい。
【００１５】
外部環境認識装置２０は、自車両の外部環境を認識するセンサ等からの情報に基づいて自車両前方の道路形状、および自車両の周囲に存在する物体の位置や形状を認識し、当該認識結果を出力する。外部環境認識装置２０は、例えば、カメラによって撮像された画像に既知の画像処理を施すことによって自車両前方の道路形状および物体の位置や形状を認識し、またミリ波レーダやレーザレーダ等のレーダ装置によって自車両の周囲に存在する物体の位置を認識する。
【００１６】
なお、外部環境認識装置２０は、ＧＮＳＳ等の測位装置により検出される自車両の位置情報と、予め記憶している地図情報と、に基づいて自車両前方の道路形状を認識してもよい。また、外部環境認識装置２０は、路車間通信等の車外インフラとの無線通信によって取得した情報に基づいて自車両前方の道路形状を認識してもよい。
【００１７】
加減速制御装置３０は、運転者による操作部２０１の操作および後述する走行制御装置１００から出力される指示に基づき、自車両が備える原動機および制動装置の動作を制御する電子制御装置である。加減速制御装置３０は、自車両の加速および減速と発進および停止を制御する。言い換えれば、加減速制御装置３０は、自車両の前後方向の運動を制御する。
【００１８】
自車両が備える原動機は、１つまたは複数の内燃機関であってもよいし、１つまたは複数の電動モータであってもよいし、これらの組み合わせであってもよい。また、制動装置は、自車両の運動エネルギーを熱エネルギーに変換して制動力を発生する形態に限られず、自車両の運動エネルギーを電気エネルギーに変換する形態のものであってもよい。
【００１９】
なお、実際の加減速制御装置３０は、原動機を制御する電子制御装置および制動装置を制御する電子制御装置の複数の電子制御装置を含み、これらが情報通信ネットワーク１５０を介して協調動作することにより実現されている。
【００２０】
操舵制御装置４０は、運転者による操作部２０１の操作および後述する走行制御装置１００から出力される指示に基づき、自車両が備える操舵装置の動作を制御する電子制御装置である。なお、操舵装置は、舵角の変更によって自車両にヨーモーメントを付加する形態の装置に加えて、左右輪における制動力差または駆動力差の発生によって自車両にヨーモーメントを付加する形態の装置をさらに備えていてもよい。操舵制御装置４０は、操舵装置の動作により発生する自車両のヨーモーメントを制御する。すなわち、操舵制御装置４０は、自車両の左右方向の運動を制御する。
【００２１】
操作検出装置５０は、運転者による操作部２０１の操作を検出する。操作検出装置５０は、アクセルペダル２０１ａの操作を検出するアクセルペダルセンサ５０ａ、ブレーキペダル２０１ｂの操作を検出するブレーキペダルセンサ５０ｂ、およびステアリングホイール２０１ｓの操作を検出するステアリングセンサ５０ｓを含む。操作検出装置５０の一部または全部の構成は、状態量検出装置１０の構成を兼ねていてもよい。
【００２２】
アクセルペダルセンサ５０ａは、例えばアクセルペダル２０１ａの踏み込み量を検出するセンサである。また、ブレーキペダルセンサ５０ｂは、例えばブレーキ液圧を検出するセンサである。また、ステアリングセンサ５０ｓは、例えば、運転者がステアリングホイール２０１ｓに加えるトルクを検出する操舵トルクセンサである。
【００２３】
なお、ブレーキペダルセンサ５０ｂは、自車両のブレーキランプの点灯を制御するためのブレーキペダル２０１ｂの操作を検出するスイッチを含んでいてもよい。また、ステアリングセンサ５０ｓは、ステアリングホイール２０１ｓに設けられたタッチセンサを含んでいてもよい。
【００２４】
警報制御装置６０は、運転者に向けた視覚情報および聴覚情報を出力する報知装置２０２を制御する電子制御装置である。報知装置２０２は、画像や文字を表示する表示装置および光を発する発光装置の一方または両方を含む視覚情報出力装置２０２ｖと、音声を発する聴覚情報出力装置２０２ａと、を少なくとも備える。報知装置２０２は、振動を発するアクチュエータを備えていてもよい。
【００２５】
走行制御装置１００は、加減速制御装置３０および操舵制御装置４０を制御する電子制御装置であり、自車両の走行制御を行う。走行制御装置１００は、状態量検出装置１０、外部環境認識装置２０および操作検出装置５０により検出される自車両の状態量および外部環境の認識結果と、運転者による操作部２０１の操作の認識結果との情報に基づいて、加減速制御装置３０および操舵制御装置４０を制御する。
【００２６】
本実施形態の走行制御装置１００は、手動運転モード、第１運転支援モードおよび第２運転支援モードを含む複数の運転モード（制御モード）を備え、これらを選択的に実行して自車両の走行制御を行う。
【００２７】
ここで、自車両の走行制御とは、自車両の加減速および操舵の制御が少なくとも含まれる。また、自車両の走行制御には、自車両の外部環境の認識結果に対する反応の実行も含まれる場合もある。
【００２８】
手動運転モードは、運転者が、操作部２０１を用いて、自車両の加減速および操舵の一方または両方を制御する運転モードである。すなわち、手動運転モードは、運転者が自車両の走行制御の全てを実施する場合と、運転者が自車両の走行制御の一部を実施し残りの走行制御を走行制御装置１００が実施する場合と、を含む。前者の場合は、自動車の自動運転レベルの定義のうちの、いわゆるＳＡＥによる定義のレベル０に相当し、後者の場合はレベル１に相当する（ＳＡＥ  Ｊ３０１６＿２０１６０９）。以下では、ＳＡＥによる定義の自動運転レベルについて、ＳＡＥレベル０、ＳＡＥレベル１等と称するものとする。
【００２９】
また、手動運転モードでは、運転者に、自車両の外部環境の認識と、当該外部環境の認識結果への反応の決定が求められる。
【００３０】
第１運転支援モードは、ＳＡＥレベル２に相当する。すなわち、第１運転支援モードは、走行制御装置１００が自車両の加減速および操舵の両方を制御するが、運転者による自車両の外部環境の認識と、当該外部環境の認識結果への反応の決定と、の実行が必要とされる運転モードである。
【００３１】
具体的に本実施形態では、走行制御装置１００は、第１運転支援モードを実行する際に、運転者によるステアリングホイール２０１ｓの保持を要求する。言い換えれば、本実施形態では、走行制御装置１００は、ステアリングセンサ５０ｓにより、運転者によるステアリングホイール２０１ｓの保持を検出している場合に、第１運転支援モードを実行することができる。したがって、第１運転支援モードとは、運転者によるステアリングホイール２０１ｓの保持を前提とした自動走行制御である。
【００３２】
第２運転支援モードは、ＳＡＥレベル３または４に相当する。すなわち、第２運転支援モードは、走行制御装置１００が自車両の加減速および操舵の両方を制御し、また走行制御装置１００が自車両の外部環境の認識と、当該外部環境の認識結果への反応の決定も実行する運転モードである。
【００３３】
すなわち、第２運転支援モードとは、運転者によるステアリングホイール２０１ｓの保持を必要としない自動走行制御である。
【００３４】
走行制御装置１００、例えば運転者が操作部２０１を用いることによって入力される指示に応じて、手動運転モード、第１運転支援モードおよび第２運転支援モードを選択的に実行する。
【００３５】
本実施形態では一例として、第２運転支援モードはＳＡＥレベル３に相当するものとする。したがって、走行制御装置１００による第２運転支援モードの実行時において、第２運転支援モードによる自動走行制御が継続できない場合には、走行制御装置１００は、第２運転支援モードの実行を終了して手動運転モードまたは第１運転支援モードを開始する。すなわち、第２運転支援モードが継続できない場合には、走行制御装置１００は、運転者によるステアリングホイール２０１ｓの保持を前提とした運転モードに移行する。また、当該運転モードの移行時には、走行制御装置１００は、警報制御装置６０を制御して、運転者に第２運転支援モードの終了とステアリングホイール２０１ｓの保持の要求を報知する。当該運転モードの移行時の報知に関しては詳細を後述する。
【００３６】
第２運転支援モードの実行時において、第２運転支援モードが継続できない場合とは、例えば予め定められた自動運転に対応した道路から自車両が退出する場合や、積雪等によって外部環境認識装置２０による道路形状の認識が不可能となる場合等に発生し得る。予め定められた自動運転に対応した道路とは、自動車専用道路のような自動運転の実現が比較的容易な道路、および自動運転のための標示や路車間通信設備等のインフラが整備された道路等である。
【００３７】
図２は、第２運転支援モードの実行時において、第２運転支援モードが継続できないと判定した場合、または所定時間後に第２運転支援モードが継続できなくなると予測した場合に走行制御装置１００が実行する自動運転終了処理のフローチャートである。
【００３８】
すなわち、走行制御装置１００は、運転者によるステアリングホイール２０１ｓの保持を必要としない自動走行制御から、運転者によるステアリングホイール２０１ｓの保持を前提とする自動走行制御（または手動走行制御）に移行する際に、図２に示す自動運転終了処理を実行する。図２に示す自動運転終了処理の開始時点では、走行制御装置１００は、第２運転支援モードを実行中である。
【００３９】
自動運転終了処理では、まずステップＳ１０において、走行制御装置１００は、運転者がステアリングホイール２０１ｓの保持を前提とする手動運転モードまたは第１運転支援モードの開始に対して既に体勢を整えているか否かを、操作検出装置５０の検出結果に基づいて判定する。言い換えれば、ステップＳ１０では、走行制御装置１００は、運転者がＳＡＥレベル３に相当する自動運転の終了と、それにともなうＳＡＥレベル０から２のいずれかに相当する制御の開始に対応できる体勢を整えているか否かを判定する。
【００４０】
本実施形態では一例として、ステップＳ１０では、運転者がステアリングホイール２０１ｓを保持しているか否かを、ステアリングセンサ５０ｓの検出結果に基づいて判定する。そしてステップＳ１０において、運転者がステアリングホイール２０１ｓを保持していることをステアリングセンサ５０ｓにより検出した場合には、走行制御装置１００は、運転者が手動運転モードまたは第１運転支援モードの開始に対して既に体勢を整えている、と判定する。
【００４１】
ステップＳ１０において、運転者が手動運転モードまたは第１運転支援モードの開始に対して体勢を整えていない、と判定した場合には、走行制御装置１００は、ステップＳ２０に移行する。
【００４２】
ステップＳ２０では、走行制御装置１００は、警報制御装置６０を制御して、報知装置２０２から少なくとも視覚情報および聴覚情報を用いた第１の警報を出力する。すなわち、ステップＳ２０で出力される第１の警報は、聴覚情報出力装置２０２ａから出力される警報音および音声の少なくとも一方と、視覚情報出力装置２０２ｖから出力される画像（文字）および光の少なくとも一方と、の双方を含む。また、第１の警報は、アクチュエータによる座席やステアリングホイール２０１ｓの振動を含んでいてもよい。
【００４３】
第１の警報は、運転者がステアリングホイール２０１ｓの保持を必要としない走行制御の終了の告知、および運転者によるステアリングホイール２０１ｓの保持の要求、を運転者に伝える内容のものである。第１の警報における、視覚情報および聴覚情報の具体的な形態（画像の形状や音声のパターン等）は特に限定されるものではない。
【００４４】
ステップＳ２０の実行により出力される第１の警報の停止の条件は、所定時間の経過であってもよいし、運転者によるステアリングホイール２０１ｓの保持の検出であってもよい。
【００４５】
そして、ステップＳ１１０において、走行制御装置１００は、手動運転モードまたは第１運転支援モードの実行を開始する。ステップＳ１１０の実行により、自動運転終了処理は終了する。
【００４６】
なお、ステップＳ１１０の実行時期は、第２運転支援モードによる自動走行制御が継続できなくなる地点に対する自車両の位置や速度に応じて変化するものであり、特に限定されない。例えば、局所的な積雪等によって外部環境認識装置２０による道路形状の認識が突如不可能となる場合のように、自動運転終了処理の開始時において第２運転支援モードによる自動走行制御が継続できなくなる地点に自車両が近接している場合には、ステップＳ１１０は、ステップＳ２０と同時に実行される可能性がある。また、例えば、予め定められた自動運転に対応した道路から自車両が退出する場合のように、第２運転支援モードによる自動走行制御が継続できなくなる地点が予測可能である場合には、ステップＳ２０の実行は、ステップＳ１１０の実行予定時刻よりも所定時間前であることが好ましい。
【００４７】
一方、ステップＳ１０において、運転者が手動運転モードまたは第１運転支援モードの開始に対して既に体勢を整えている、と判定した場合には、走行制御装置１００は、ステップＳ４０に移行する。
【００４８】
ステップＳ４０では、走行制御装置１００は、警報制御装置６０を制御して、報知装置２０２から視覚情報のみを用いた第２の警報を出力する。すなわち、ステップＳ２０で出力される第２の警報は、視覚情報出力装置２０２ｖから出力される画像（文字）および光の少なくとも一方のみを含む。すなわち、第２の警報は、警報音、音声、振動等を含まない。
【００４９】
第２の警報は、運転者がステアリングホイール２０１ｓの保持を必要としない走行制御の終了を運転者に伝える内容のものである。第２の警報における、視覚情報の具体的な形態（画像の形状等）は特に限定されるものではない。
【００５０】
ステップＳ４０の実行により出力される第１の警報の停止の条件は、例えば所定時間の経過である。
【００５１】
そして、ステップＳ１１０において、走行制御装置１００は、手動運転モードまたは第１運転支援モードの実行を開始する。ステップＳ１１０の実行により、自動運転終了処理は終了する。
【００５２】
なお、前述のように、ステップＳ１１０の実行時期は、第２運転支援モードによる自動走行制御が継続できなくなる地点に対する自車両の位置や速度に応じて変化するものであり、特に限定されない。
【００５３】
以上に説明したように、走行制御装置１００は、第２運転支援モードの実行時において、当該第２運転支援モードが継続できないと判定した場合に、手動運転モードまたは第１運転支援モードを開始する走行制御切り替えステップ（ステップＳ１１０）を実行する。走行制御切り替えステップとは、運転者によるステアリングホイール２０１ｓの保持を必要としない自動運転状態（ＳＡＥレベル３または４）から運転者によるステアリングホイール２０１ｓの保持を前提とする運転状態（ＳＡＥレベル０から２）への切り替え処理である。
【００５４】
そして、走行制御装置１００は、走行制御切り替えステップの実行時または走行制御切り替えステップの実行の所定時間前において、操作検出装置５０の検出結果に基づき、運転者が手動運転モードまたは第１運転支援モードの開始に対応できる体勢を整えているか否かを判定する第１ステップ（ステップＳ１０）を実行する。
【００５５】
さらに、走行制御装置１００は、第１ステップにおいて、運転者が手動運転モードまたは第１運転支援モードの開始に対応できる体勢を整えていないと判定した場合には、警報制御装置６０を制御して走行制御切り替えステップの実行を視覚情報および聴覚情報を用いて出力し、また運転者が手動運転モードまたは第１運転支援モードの開始に対応できる体勢を整えていると判定した場合には、警報制御装置６０を制御して走行制御切り替えステップの実行を視覚情報のみを用いて出力する第２ステップ（ステップＳ２０、Ｓ４０）と、を実行する。
【００５６】
このように構成された本実施形態の走行制御システム１を備える自車両が走行中である際に第２運転支援モードから手動運転モードまたは第１運転支援モードへの切り替えが行われる場合、走行制御システム１は当該切り替えの警報を出力する。
【００５７】
ここで、本実施形態では、運転者がステアリングホイール２０１ｓの保持等の手動運転モードまたは第１運転支援モードの開始に対応する姿勢をとっていれば、走行制御システム１が出力する警報は視覚情報のみを用いた第２の警報となる。
【００５８】
したがって、例えば運転者が第２運転支援モードが継続できなくなる地点を地図情報や過去の経験に基づいて予測し、第２運転支援モードの終了に対してステアリングホイール２０１ｓを保持して身構えていれば、第２運転支援モードの終了時に走行制御システム１が出力する警報は視覚情報のみの運転者への刺激が弱いものとなる。このため、運転者は、当該警報を煩わしく感じることがない。
【００５９】
一方で、運転者が第２運転支援モードの終了に対して身構えていなければ、第２運転支援モードの終了時に走行制御システム１が出力する警報は聴覚情報および視覚情報を含む運転者への刺激が強いものとなるため、運転者に第２運転支援モードの終了を即時に気付かせることができる。
【００６０】
このように、本実施形態の走行制御システム１によれば、自動運転モードの切り替え時における運転者の体勢に応じて警報の内容を切り替えることができ、運転者が警報を煩わしく感じてしまう場面を少なくすることができる。
【００６１】
本発明は、上述した実施形態に限られるものではなく、請求の範囲および明細書全体から読み取れる発明の要旨或いは思想に反しない範囲で適宜変更可能であり、そのような変更を伴う車両の走行制御装置もまた本発明の技術的範囲に含まれるものである。
【符号の説明】
【００６２】
１    走行制御システム、
１０    状態量検出装置、
２０    外部環境認識装置、
３０    加減速制御装置、
４０    操舵制御装置、
５０    操作検出装置、
５０ａ    アクセルペダルセンサ、
５０ｂ    ブレーキペダルセンサ、
５０ｓ    ステアリングセンサ、
６０    警報制御装置、
１００    走行制御装置、
１５０    情報通信ネットワーク、
２０１    操作部、
２０１ａ    アクセルペダル、
２０１ｂ    ブレーキペダル、
２０１ｓ    ステアリングホイール、
２０２    報知装置、
２０２ａ    聴覚情報出力装置、
２０２ｖ    視覚情報出力装置。
【図１】
2019156058.tif 000003
【図２】
2019156058.tif 000004